(57)【要約】【課題】記録装置の記録手段の着脱において、ユーザーが右利き、左利きのいずれであっても、記録手段の着脱が容易な記録装置を実現させる。【解決手段】記録手段を着脱自在に保持するキャリッジを備えた記録装置において、記録手段の一部位を押圧してキャリッジ内の記録手段を固定する装着レバーを有し、装着レバーの操作部がキャリッジの右側ないし左側の両側に設けることにより、上記目的を実現させる。さらに、記録装置において、記録手段の一部位を押圧してキャリッジ内の記録手段を固定する装着レバーを有し、装着レバーの操作部が着脱可能であり、操作部が装着レバーの右側ないし左側のどちら側にも装着できるように設けることにより、上記目的を実現させる。【選択図】　　　　図１
2004130667.tif 000002
【特許請求の範囲】
【請求項１】
被記録材に画像を形成するための記録手段を着脱自在に保持するキャリッジを備えた記録装置において、前記記録手段の一部位を押圧して前記キャリッジ内の前記記録手段を固定する装着レバーを有し、前記装着レバーの操作部が前記キャリッジの右側ないし左側の両側に設けられていることを特徴とする記録装置。
【請求項２】
被記録材に画像を形成するための記録手段を２ヶ以上、着脱自在に保持するキャリッジを備えた記録装置において、前記記録手段の一部位を押圧する押圧手段を前記記録手段に相当する数だけ備え、前記キャリッジ内の２ヶ以上の前記記録手段を固定する装着レバーを有し、前記装着レバーの操作部が前記キャリッジの右側ないし左側の両側に設けられていることを特徴とする記録装置。
【請求項３】
被記録材に画像を形成するための記録手段を着脱自在に保持するキャリッジを備えた記録装置において、前記記録手段の一部位を押圧して前記キャリッジ内の前記記録手段を固定する装着レバーを有し、前記装着レバーの操作部が着脱可能になっており、前記操作部が前記装着レバーの右側ないし左側のどちら側にも装着できるように設けられていることを特徴とする記録装置。
【請求項４】
被記録材に画像を形成するための記録手段を２ヶ以上、着脱自在に保持するキャリッジを備えた記録装置において、前記記録手段の一部位を押圧する押圧手段を前記記録手段に相当する数だけ備え、前記キャリッジ内の２ヶ以上の前記記録手段を固定する装着レバーを有し、前記装着レバーの操作部が着脱可能になっており、前記操作部が前記装着レバーの右側ないし左側のどちら側にも装着できるように設けられていることを特徴とする記録装置。
【請求項５】
前記記録手段は、インク吐出口から吐出されるインクにより前記被記録材に画像を形成する請求項１ないし４のいずれか１項に記載の記録装置。
【請求項６】
前記記録手段は、前記インク吐出用の熱エネルギーを発生する素子としてインクに膜沸騰を生じさせる熱エネルギーを発生する電気熱変換体を有する請求項５に記載の記録装置。
【発明の詳細な説明】
【０００１】
【発明の属する技術分野】
本発明は、着脱自在なインクカートリッジを有するインクジェット記録装置に関し、特にインクカートリッジの着脱機構に関する。
【０００２】
【従来の技術】
近年、オフィスにおけるパソコンやワープロ、ファクシミリ等の普及に伴い、これらの機器の出力機として種々の記録装置が開発されている。
【０００３】
特に被記録媒体にインクを吐出して画像を形成するインクジェット記録装置は、画像品位、印刷速度、大きさ、価格などのバランスに優れ、カラー化も容易なため様々な分野の記録装置として用いられており、従ってその形態もいろいろなタイプが要求されている。その一形態として、インクジェット記録ヘッドと該インクジェット記録ヘッドへインクを供給するインクタンクとを一体に形成またはインクタンクを着脱可能に組合わせたもの（以下インクカートリッジと称する）を、ヘッド装着部としてのキャリッジに装着して記録領域に配される被記録媒体の搬送方向に対して、直交に往復移動して一行ないし複数行のライン記録を行なう、いわゆるシリアルタイプのインクジェット記録装置が最も一般的に普及している。
【０００４】
上記形態の特徴としては、装置の小型化や低価格化に適していると共に、容易にインクカートリッジの着脱、交換が可能であることがあげられる。すなわちインクの消耗や記録ヘッドの劣化が生じた時にユーザが簡単に交換でき、またモノクロ専用カートリッジからカラーインクカートリッジや写真画質用のインクカートリッジ、更にはインクカートリッジと同形状の画像読取り装置（スキャナ）に交換することで、一台の記録装置で様々なメディアや要求に対応可能となる。
【０００５】
このようなインクジェット記録装置では、インクカートリッジ側に設けられた電極とキャリッジ側に設けられた電極が、インクカートリッジを取りつけることにより導通して電流や信号のやり取りが行われる。図２は、従来例のキャリッジと装着レバーを説明したものである。インクカートリッジをキャリッジに取りつける時、またはインクカートリッジを取り外す時、キャリッジに設けられた装着レバーを操作することで、インクカートリッジの着脱が行われる。
【０００６】
上記のインクカートリッジの着脱機構は、特開２０００−１２７４４６公報に記載されている。
【０００７】
【発明が解決しようとする課題】
しかしながら上記従来例では、以下のような欠点があった。
【０００８】
図２に示された様に、装着レバーの操作部がキャリッジの右側に位置しているために、装着レバーを操作するには右手で行った方が操作しやすく、左利きのユーザーにとっては操作しずらいという欠点があった。
【０００９】
また、機種によっては、図２に示された装着レバーとは逆に、装着レバーの操作部がキャリッジの左側に位置しているものもあった。この場合には、装着レバーを操作するには左手で行った方が操作しやすく、右利きのユーザーにとっては操作しずらいという欠点があった。
【００１０】
また、近年のインクジェット記録装置におけるインクジェット記録ヘッドは、画像の高精細化を目的として、ノズル間隔が微小になり、あわせて高速化を目的として、総ノズル数の増加の傾向にある。その結果、インクカートリッジ側ないしキャリッジ側に設けられた電極の数が増加することになり、両電極を確実に接触させるためには、より大きな付勢力が必要となった。その結果、装着レバーの操作には大きな力が必要となった。
【００１１】
また、上記右利き、左利きどちらのユーザーにとっても操作が容易なように、装着レバーの左右両側から伸びた部位をキャリッジ手前にて繋ぐような部位を有する装着レバーが考えられた。しかしながら、前記キャリッジ手前の部位が回動する際、インクカートリッジと干渉させない為には、前記部位をおおきく手前に待避させなくてはならず、装着レバーが大きくなってしまうという欠点があった。
【００１２】
そこで本発明の目的は、上述した問題点に鑑み、記録装置の記録手段の着脱において、ユーザーが右利き、左利きのいずれであっても、前記記録手段の着脱が容易な装着レバーを備えた記録装置を提供することである。
【００１３】
また、本発明の更なる目的は、記録装置の記録手段の着脱において、例えば、高齢者及び女子の様な力の弱いユーザーであっても、前記記録手段の着脱が容易な装着レバーを備えた記録装置を提供することである。
【００１４】
また、本発明の更なる目的は、記録装置の記録手段の着脱において、２ヶ以上の記録手段の着脱が容易な装着レバーを備えた記録装置を提供することである。
【００１５】
【課題を解決するための手段】
本発明は上記目的を達成するためになされたものであり、被記録材に画像を形成するための記録手段を着脱自在に保持するキャリッジを備えた記録装置において、前記記録手段の一部位を押圧して前記キャリッジ内の前記記録手段を固定する装着レバーを有し、前記装着レバーの操作部が前記キャリッジの右側ないし左側の両側に設けることにより、ユーザーが右利き、左利きのいずれであっても、前記記録手段の着脱が容易な記録装置を実現させるものである。
【００１６】
さらに、被記録材に画像を形成するための記録手段を２ヶ以上、着脱自在に保持するキャリッジを備えた記録装置において、前記記録手段の一部位を押圧する押圧手段を前記記録手段に相当する数だけ備え、前記キャリッジ内の２ヶ以上の前記記録手段を固定する装着レバーを有し、前記装着レバーの操作部が前記キャリッジの右側ないし左側の両側に設けることにより、ユーザーが右利き、左利きのいずれであっても、前記記録手段の着脱が容易で、２ヶ以上の記録手段の着脱が容易な記録装置を実現させるものである。
【００１７】
さらに、被記録材に画像を形成するための記録手段を着脱自在に保持するキャリッジを備えた記録装置において、前記記録手段の一部位を押圧して前記キャリッジ内の前記記録手段を固定する装着レバーを有し、前記装着レバーの操作部が着脱可能であり、前記操作部が前記装着レバーの右側ないし左側のどちら側にも装着できるように設けることにより、ユーザーが右利き、左利きのいずれであっても、前記記録手段の着脱が容易な記録装置を実現させるものである。
【００１８】
【発明の実施の形態】
以下、本発明の実施の形態について図面を参照して説明する。
【００１９】
（実施例１）
図１は、本発明の第１の実施形態の記録装置に用いられるキャリッジ１の外観斜視図である。
【００２０】
記録手段であるインクカートリッジを搭載するキャリッジ１は、左壁１ｂ及び右壁１ｃで形成される空間部であるインクカートリッジ装着部９と、装着レバー３とを有し、主走査方向にガイドするガイドシャフト２に滑動可能に保持される。
【００２１】
装着レバー３はキャリッジ１上に載せられたインクカートリッジを所定の位置にセットし付勢するためのものであり、前記装着レバー４には、操作部４ａ、操作部４ｂが設けられており、ガタ寄せばね４は装着されたインクカートリッジを右壁１ｃに付勢するためのものである。
【００２２】
次に図３及び図４を用いて、図１に示したキャリッジ１に装着されるインクカートリッジについて説明する。
【００２３】
図３はインクカートリッジのうちのサイズの小さい小インクカートリッジ７の一例を示したものであり、例えば黒インクを収納するインクタンクと、このインクタンクから供給されるインクを吐出する記録ヘッドとが一体化されたモノクロ専用インクカートリッジである。また、図４はサイズの大きい大インクカートリッジ８の一例を示し、例えばイエローインク、シアンインク、マゼンタインク、黒インクを載せたフルカラー対応インクカートリッジである。
【００２４】
図１のキャリッジ１は、小インクカートリッジ７と大インクカートリッジ８との両者を交換しながら着脱可能とする構成である。
【００２５】
次に図５（ａ）、図５（ｂ）及び図６を用いて、キャリッジ１にインクカートリッジを装着する動作の説明を行う。ただし、ここでは大インクカートリッジ８を用いて説明を行う。
【００２６】
図５（ａ）に示すように、装着レバー３を上げた状態で、大インクカートリッジ８を左壁１ｂと右壁１ｃで構成されるキャリッジ１のインクカートリッジ装着部９に、大インクカートリッジ８の爪部１０を右壁１ｃの切り欠き部１１に合わせるようにして矢印Ｃの方向に挿入する。その後、図５（ｂ）に示すように装着レバー３をおろすことで、大インクカートリッジ８はキャリッジ１の所定の位置へセットされ、大インクカートリッジ８の電極部とキャリッジ１の電極部が電気的に導通する。キャリッジ１に大インクカートリッジ８を装着した状態を示しているのが図６である。
【００２７】
図５（ａ）及び図５（ｂ）において、ユーザーは大インクカートリッジ８を右手にてキャリッジ１に挿入し、また、装着レバー３に設けられた操作部のうち、右側に設けられた操作部３ａを右手にて押すことにより大インクカートリッジ８の固定を行なっている。これは、右利きのユーザーに有利な動作を説明している。
【００２８】
左利きのユーザーの場合には、大インクカートリッジ８のキャリッジ１への挿入は、左手にて容易に行なえる。そして、大インクカートリッジ８の固定に際しては、装着レバー３に設けられた操作部のうち、左側に設けられた操作部３ｂを左手にて押すことにより容易に行なえる。
【００２９】
また、高齢者及び女子の様な力の弱いユーザーの場合には、装着レバー３に設けられた操作部３ａないし操作部３ｂの両方を用いることで、より大きな力を出すことが可能となり、大インクカートリッジ８の固定を容易に行なえる様になる。
【００３０】
（実施例２）
図７は本発明の記録装置の第２の実施形態の要部の斜視図である。図示しない駆動機構により往復動するキャリッジ２１が、側壁２１ａ，２１ｂと中壁２２とを有し、側壁２１ａと中壁２２との間にインクカートリッジの収容部２３が、側壁２１ｂと中壁２２との間にインクカートリッジの収容部２４がそれぞれ設けられている。通常のフルカラー記録の場合は、収容部２３に黒カートリッジ２５、収容部２４に３色カラーカートリッジ２６（シアン、マゼンタ、イエロー）が装着される。ただし、写真調のフォトカラーで記録する場合には、黒カートリッジ２５の代わりにフォトカートリッジ２７（黒、淡シアン、淡マゼンタ）が装着される。
【００３１】
図７に示す３種類のインクカートリッジ２５，２６，２７は、実質的に同じ外形のカートリッジ本体部２８に、各色のインクが収容されたインクタンク３８，３９，４０がそれぞれ着脱可能に搭載された構成である。したがって、生産効率が高く、結果的に安いコストでインクカートリッジ２５，２６，２７を供給することができる。図８、図９に示すように、カートリッジ本体部２８は、下面にノズル部２９が、背面に電気的接続のための配線板３０がそれぞれ設けられている。そして、両側面の下部には段差がつけられて凹部５１が形成され、この凹部５１内に位置決め突起３１が設けられている。また、その凹部５１の上方、すなわちカートリッジ本体部２８の最外面にあたる位置にラフガイド突起３２が形成されている。そして、位置決め突起３１はカートリッジ本体部２８の両側面で対称の位置にあるが、ラフガイド突起３２は両側面で非対称の位置にある。
【００３２】
一方、図１０に示すように、キャリッジ２１の中壁２２の両面および両側壁２１ａ，２１ｂの内面の下部には、カートリッジ本体部２８の凹部５１と対応する肉厚部５２が設けられており、この肉厚部５２に、インクカートリッジ２５，２６，２７を正規の位置に保持するために位置決め突起３１が嵌合する位置決め溝３３が設けられている。各位置決め溝３３はすべて対称な形状に形成されている。また、両側壁２１ａ，２１ｂの内面の肉厚部５２の上方の部分に、インクカートリッジ２５，２６，２７の装着時に正しい挿入方向に導くようにラフガイド突起３２を案内するガイド溝３６が形成されている。各ガイド溝３６は、各ラフガイド突起３２に対応して非対称に設けられている。また、中壁２２の肉厚部５２の上方には、ラフガイド突起３２を逃がす切欠部５３が形成されている。そして、キャリッジ２１には、カートリッジ本体部２８の配線板３０と接触して電気的接続をとるコネクタ４２と、インクカートリッジ２５，２６，２７を連動させその導入および固定を簡単に行なうための装着レバー４３と、インクカートリッジ２５，２６，２７を横方向に付勢して位置を安定させるための板バネ５０とが設けられている。前記装着レバー４３には、装着レバー４３操作時の取っ手となる操作部４３ａ，操作部４３ｂが設けられている。
【００３３】
次に、インクカートリッジ２５，２６，２７をキャリッジ２１に装着する動作を説明する。図１１に示すように、使用者はまずカートリッジ本体部２８のつまみ部２８ａを持って、キャリッジ２１のガイド溝３６内にラフガイド突起３２ｂを挿入する。この状態から単純に押し込むと、後はガイド溝３６とラフガイド突起３２ｂの係合により正規のロック待機状態（図１１参照）までスムーズに案内される。したがって、挿入方向を誤って、インクカートリッジ２５，２６，２７のノズル部２９をぶつけてしまって破損したり、キャリッジ側のコネクタ４２にインクを付けて電気的短絡を起こすといった事故を防ぐことができる。ここで、ガイド溝３６と係合するのは片側（側壁２１ａ，２１ｂと接触する側、図面の奥側）のラフガイド突起３２ｂだけであり、他方（中壁２２と接触する側、図面の手前側）のラフガイド突起３２ａは中壁２２の切欠部内に位置していて案内機能は有さない。しかし、中壁２２によってインクカートリッジ２５，２６，２７の横方向へのズレは規制されるので、ラフガイド突起３２ｂとガイド溝３６の係合が外れることはなく、片側のラフガイド突起３２ｂが案内されるだけでも十分な案内機能を発揮することができる。なお、ラフガイド突起３２ａ、３２ｂが角丸形状のボスであるので、ガイド溝３６内で回転しないように規制されて、インクカートリッジ２５，２６，２７の姿勢の狂いを生じさせないという効果が得られる。
【００３４】
図１２に示すようにインクカートリッジ２５，２６，２７がロック待機状態にあるとき、装着レバー４３を操作すると、インクカートリッジ２５，２６，２７は図１３に示す正規のロック状態で固定される。装着レバー４３を操作するにあたっては、操作部４３ａ、あるいは操作部４３ｂのどちらを用いても、同様な操作が可能になっている。また、操作部４３ａないしは操作部４３ｂの双方を同時に用いて操作を行なっても良い。ロック待機状態において装着レバー４３を揺動させると、バネ４４の付勢力により、ロックアーム４５の端部のコロ４８がカートリッジ本体部２８の当接部に当接して押し込んでいく。装着アーム４３が完全に倒されると、位置決め突起３１が位置決め溝３３に嵌合し、カートリッジ本体部２８の上突き当て部４６がキャリッジ２１の上突き当て部４７に当接した状態で安定する。このとき、コネクタ４２の圧接力が、位置決め突起３１が位置決め溝３３の１辺（図１３の左側の辺）に突き当たる方向に作用し、インクカートリッジ２５，２６，２７の位置をより安定させる。この圧接力は、インクカートリッジ２５，２６，２７の上部をキャリッジ２１から離れる方向に作用するが、前記したバネ４４およびロックアーム４５およびコロ４８の作用により、インクカートリッジ２５，２６，２７は安定的に保持される。なお、位置決め突起３１および位置決め溝３３は全て対称に設けられているので、図面中実線で示されている位置決め突起３１と破線で示されている位置決め溝３３とが係合するものとみなして考えると、理解が容易である。
【００３５】
前記説明してきた中で、装着レバー４３に設けられた、バネ４４、ロックアーム２５、コロ２８からなるインクカートリッジ２１の押圧手段は、キャリッジ２１へ装着されるインクカートリッジの数に相当するセット数が設けられている。本実施形態の場合には、２セットの押圧手段が装着レバー４３に設けられている。ユーザーは、装着レバー４３の操作部のうち、操作部４３ａ、操作部４３ｂのどちらを操作しても、２ヶのインクカートリッジの着脱が同時に行なえる。右利きのユーザーの場合には、キャリッジ２１の右側に位置する操作部４３ａを、左利きのユーザーの場合には、キャリッジ２１の左側に位置する操作部４３ｂを操作すれば、ユーザーにとってよりインクカートリッジの着脱が容易に行なえる様になる。また、高齢者及び女子の様な力の弱いユーザーの場合には、装着レバー３に設けられた操作部４３ａないし操作部４３ｂの両方を用いることで、より大きな力を出すことが可能となり、インクカートリッジの着脱を容易に行なえる様になる。
【００３６】
なお、図１２に示すロック待機状態では、ラフガイド突起３２ｂはガイド溝３６の広いスペース３６ａの中で移動可能な状態にあるので、ラフガイド突起３２ｂとガイド溝３６との係合が装着レバー４３の揺動に伴うインクカートリッジ２５，２６，２７の固定の妨げとなることはない。
【００３７】
このようにして２個のインクカートリッジ（ここではフォトカートリッジ２７と３色カートリッジ２６とする）がキャリッジ２１に装着された状態では、図１４、１５に示すように、フォトカートリッジ２７と３色カートリッジ２６の互いに対向する位置にあるラフガイド突起３２ａ，３２ｂは、非対称位置、すなわちＹ方向およびＺ方向にずれた位置にあり、中壁２２の切欠部内に収まっている。つまり、ラフガイド突起３２ａ，３２ｂの高さが中壁２２の厚みと同等以下であれば、ラフガイド突起３２ａ，３２ｂを設けたことによって２個のインクカートリッジ２６，２７の間隔が広がってしまうことはない。
【００３８】
なお、図１４に示すように、本実施形態では２個のインクカートリッジをＹ方向に所定量だけずらして並べているが、もちろん位置を揃えて並べる構成でもよい。
【００３９】
（実施例３）
図１６は、本発明の第３の実施形態の記録装置に用いられるキャリッジ１の外観斜視図である。
【００４０】
前記第１、第２の実施形態において、装着レバーの操作部は装着レバー本体と一体になっていたが、装着レバー本体と別体になっていても同様の効果が得られる。すなわち、図１６において、７１はキャリッジ１に設置された装着レバー、７１ａ、７１ｂは、装着レバー７１の端部に設けられた突起部、７２は装着レバー７１を回動させる為の操作アーム、７２ａは突起部７１ａ、７１ｂと勘合する穴である。
【００４１】
次に動作について説明する。ユーザーは装着レバー７１を回動したい場合、操作アーム７１を突起部７１ａ、７１ｂのどちらに取り付けても良い。右利きのユーザーにとっては、突起部７１ａに取り付ければインクカートリッジの着脱操作は容易になる。また、左利きのユーザーにとっては、突起部７１ｂに取り付ければインクカートリッジの着脱操作は容易になる。前述のように、ユーザーは自分の好きな方の突起部（７１ａまたは７１ｂ）に操作アーム７２を取り付け、インクカートリッジを装着固定する。その後、操作アーム７２ａは、取り付けたままでも良いし、取り外しても良い。
【００４２】
前記では、装着レバー側に突起部、操作アーム側に穴を設けたが、装着レバー側に凹部、操作アーム側に突起部を設けても、同様の操作が可能になる。
【００４３】
【発明の効果】
以上説明してきたように、本発明によれば、記録装置の記録手段の着脱において、ユーザーが右利き、左利きのいずれであっても、前記記録手段の着脱が容易に行なえる様になる。
【００４４】
また、本発明によれば、記録装置の記録手段の着脱において、例えば、高齢者及び女子の様な力の弱いユーザーであっても、前記記録手段の着脱が容易に行なえる様になる。
【００４５】
また、更に本発明によれば、記録装置の記録手段の着脱において、２ヶ以上の記録手段の着脱が容易に行なえる様になる。
【図面の簡単な説明】
【図１】本発明の第１の実施形態のキャリッジの外観斜視図である。
【図２】従来のキャリッジの外観斜視図である。
【図３】サイズの小さいインクカートリッジの一例を示す斜視図である。
【図４】サイズの大きいインクカートリッジの一例を示す斜視図である。
【図５】キャリッジにインクカートリッジを装着する動作の説明図である。
【図６】大インクカートリッジを装着したキャリッジの外観斜視図である。
【図７】本発明の第１の実施形態の記録装置の要部斜視図である。
【図８】第２の実施形態のインクカートリッジの背面側の斜視図である。
【図９】第２の実施形態のインクカートリッジの正面側の斜視図である。
【図１０】第２の実施形態のキャリッジの斜視図である。
【図１１】第２の実施形態のインクカートリッジ装着前の状態を示す断面図である。
【図１２】第２の実施形態のインクカートリッジ装着動作中の状態を示す断面図である。
【図１３】第２の実施形態のインクカートリッジ装着完了後の状態を示す断面図である。
【図１４】２個のインクカートリッジを並べた状態の平面図である。
【図１５】２個のインクカートリッジを並べた状態の正面図である。
【図１６】本発明の第３の実施形態のキャリッジの外観斜視図である。
【符号の説明】
１　キャリッジ
１ｂ　左壁
１ｃ　右壁
２　ガイドシャフト
３　装着レバー
３ａ，３ｂ　操作部
４　ガタ寄せばね
７　小インクカートリッジ
８　大インクカートリッジ
９　インクカートリッジ装着部
１０　爪部
２１　キャリッジ
２１ａ，２１ｂ　側壁
２２　中壁
２３，２４　インクカートリッジ収容部
２５，２６，２７　インクカートリッジ
２８　カートリッジ本体
２９　ノズル部
３０　配線板
３１　位置決め突起
３２　ラフガイド突起
３３　位置決め溝
３６　ガイド溝
３８，３９，４０　インクタンク
４２　コネクタ
４３　装着レバー
４３ａ，４３ｂ　操作部
４４　バネ
４５　ロックアーム
４６　上突き当て部
４８　コロ
５０　板バネ
【図１】
2004130667.tif 000003
【図２】
2004130667.tif 000004
【図３】
2004130667.tif 000005
【図４】
2004130667.tif 000006
【図５】
2004130667.tif 000007
【図６】
2004130667.tif 000008
【図７】
2004130667.tif 000009
【図８】
2004130667.tif 000010
【図９】
2004130667.tif 000011
【図１０】
2004130667.tif 000012
【図１１】
2004130667.tif 000013
【図１２】
2004130667.tif 000014
【図１３】
2004130667.tif 000015
【図１４】
2004130667.tif 000016
【図１５】
2004130667.tif 000017
【図１６】
2004130667.tif 000018